(57)【要約】【課題】  毛染液、工業用接着剤、シーリング剤、医療用の接着剤や充填剤等の２種類の内容液を各同量または同一比率で吐出せしめ、吐出後に二液を混合又は反応させるのに好適な二液吐出容器を提供する。【解決手段】  吐出ノズル２１，２１を有するカバー体２０と、このカバー体２０に収納される回転操作の回転によりピストンを前進させて軸本体内の内容液を吐出する吐出機構を備えた吐出容器体１，１と、スペーサー部材３０と、カバーケース２０の外部となる後方側に配置される上記吐出容器体１，１の回転操作部を同期させる帯状のリング部材４０と、保管の際にカバーケース２０の前端部を覆うキャップ５０とを備えている。【選択図】  図１
2005212843.tif 000002
【特許請求の範囲】
【請求項１】
二本の軸本体に、回転操作部の回転によりピストンを前進させて軸本体内の内容液を吐出する吐出機構を備え、該二本の軸本体を連結固定すると共に、上記回転操作部を帯状のリング部材で連結して同期させたことを特徴とする二液吐出容器。
【請求項２】
前記二本の軸本体を収納するカバー体と、該カバー体の前端部を覆うキャップとを備え、二本の軸本体の一方の軸本体がキャップを外した際に外から見える状態に、カバー体に窓部を設けると共に、キャップを装着した場合はその窓部をキャップの一部で覆うことを特徴とする請求項１記載の二液吐出容器。
【発明の詳細な説明】
【技術分野】
【０００１】
本発明は、毛染液、工業用接着剤、シーリング剤、医療用の接着剤や充填剤等の２種類の内容液を各同量または同一比率で吐出せしめ、吐出後に二液を混合又は反応させるのに好適な二液吐出容器に関する。
【背景技術】
【０００２】
従来において、２種の接着剤や歯科用材料等の内容液を所定量吐出させる二液吐出容器としては、例えば、内容液をピストンで押し出す機構を用い、その二軸を主部材で連結し、２本のシリンダー部の全面にこれらを連結する補助部材を取り付けて連結してなる二液吐出容器が知られている（特許文献１参照）。
【０００３】
しかしながら、この特許文献１に記載される二液吐出容器では、二液が反応性のある液体の場合、必要量を吐出後に撹拌して使用する場合には、吐出量を定量吐出させないと未反応の成分が残る可能性があり、二液を定量吐出させて反応等させる吐出容器としては使用性に課題がある。
また、吐出した量が使用者にわかりにくく、内溶液がまだ残っているかその確認にも不便となる課題を有している。
【特許文献１】実開昭６２−６２６７４号公報（請求の範囲、第１図等）
【発明の開示】
【発明が解決しようとする課題】
【０００４】
本発明は、上記従来技術の課題等に鑑み、これを解消しようとするものであり、使用者が必要とする内容液を定量又は同一比率で吐出することができる使用性に優れた二液吐出容器、並びに、吐出した量を使用者が容易に確認することができる二液吐出容器を提供することを目的とする。
【課題を解決するための手段】
【０００５】
本発明者らは、上記従来技術の課題等について鋭意検討を重ねた結果、二液吐出容器において特定構造となる吐出機構、操作機構等を設けることにより、上記目的の二液吐出容器が得られることを見い出し、本発明を完成するに至ったのである。
【０００６】
すなわち、本発明は、次の（１）及び（２）に存する。
（１）  二本の軸本体に、回転操作部の回転によりピストンを前進させて軸本体内の内容液を吐出する吐出機構を備え、該二本の軸本体を連結固定すると共に、上記回転操作部を帯状のリング部材で連結して同期させたことを特徴とする二液吐出容器。
（２）  前記二本の軸本体を収納するカバー体と、該カバー体の前端部を覆うキャップとを備え、二本の軸本体の一方の軸本体がキャップを外した際に外から見える状態に、カバー体に窓部を設けると共に、キャップを装着した場合はその窓部をキャップの一部で覆うことを特徴とする上記（１）記載の二液吐出容器。
【発明の効果】
【０００７】
本発明によれば、使用者が必要とする内容液を定量又は同一比率で吐出することができる使用性に優れた二液吐出容器が提供される。
また、請求項２の発明によれば、吐出した量を使用者が容易に確認することができる更に使用性に優れた二液吐出容器が提供される。
【発明を実施するための最良の形態】
【０００８】
以下に、本発明の実施形態を図面を参照しながら詳しく説明する。
図１〜図２３は、本発明の実施形態の一例を示す二液吐出容器であり、図１は、本発明の実施形態の全体構造を示す部分断面図、図２〜図１６は図１のカバー体に収納される吐出機構を備えた吐出容器体を説明する各図面、図１７及び図１８はカバー体を説明する各図面、図１９は、カバー体に収納されるスペーサー部材を説明する各図面、図２０は帯状のリング部材の側面図、正面図、図２１及び図２２はキャップを説明する各図面、図２３は二液吐出容器の全体構造、並びに、キャップを取り外した状態を示す図面である。
【０００９】
本実施形態の二液吐出容器Ａは、図１に示すように、吐出ノズル２１，２１を有するカバー体２０と、このカバー体２０に収納される回転操作の回転によりピストンを前進させて軸本体内の内容液を吐出する吐出機構を備えた吐出容器体１，１と、スペーサー部材３０と、カバーケース２０の外部となる後方側に配置される上記吐出容器体１，１の回転操作部を同期させる帯状のリング部材４０と、保管の際にカバーケース２０の前端部を覆うキャップ５０とを備えている。以下に、本実施形態の二液吐出容器の各構成要素毎に詳述する。
【００１０】
この実施形態における各吐出容器体１は、図２（ａ）及び（ｂ）に示すように、中空円筒状となり、内部に内容液、この形態では、歯科用粘性材料Ｌを貯留する軸本体部２と、前記内容液Ｌを軸本体部２の前方開口部へと回転操作部の回転により押圧して内溶液を吐出させる吐出機構４とを備え、前記吐出機構４は、後述する固定筒状体１１と、繰出体１２と、ねじ棒１３と、ピストン１４とを備えたものとなっている。
【００１１】
そして、前記軸本体部２は、図３〜図６に示すような形状、構造となっている。すなわち、軸本体部２は筒状に形成されており、その先方部には小径部２ａが形成されている。また、この軸本体２の先方部となる小径部２ａの前方は、吐出開口部２ａ１となっており、その周面には、カバー体２０に収納する際に定位置に収納させるための凸型の取り付け部２ａ２が１ヶ所または複数形成されている。
前記本体部２の後方部内周面には、図３及び図４に示すように、凸部２ｂが複数本形成されている。各凸部２ｂは、図５に示すように、後方から前方にかけて緩やかに内方へと立ち上がる緩斜面２ｂ１と、この緩斜面２ｂ１に連続する平坦面２ｂ２と、この平坦部２ｂ２から直角に近い急峻な角度で外方へと立ち下がる急斜面２ｂ３とからなり、ここに固定筒状体１１が圧入係止されるようになっている。
また、図４のＡ−Ａ線拡大図である図６に示すように、前記本体部２の内周面には、その後端部から前記凸部２ｂの前方にかけて長手方向に延出する突条２ｃが形成されている。
【００１２】
また、前記固定筒状体は、図７〜図１１に示すような形状に形成されている。
すなわち、固定筒状体１１の前半部外周には、前記本体部２の凹凸部２ｂに圧入嵌合可能な複数本の凸部１１ｂが形成されている。この凸部１１ｂは、前記本体部２の凸部２ｂとは逆に、前方から後方にかけて内方へと突出するよう緩やかに傾斜する緩斜面１１ｂ１と、この緩斜面１１ｂ１の頂部に連続する平坦部１１ｂ２と、この平坦部１１ｂ２から内方へと略直角に近い角度で急峻に立ち下がる急斜面１１ｂ３とからなり、その急斜面１１ｂ３は前記本体部２の前記凸部１１ｂの急斜面２ｂ３に当接し、本体部２からの抜脱が阻止されている。
【００１３】
また、固定筒状体１１の前端部は、前記凸部の形成された外筒部１１ａの内方に内筒部１１ｃが形成されて二重筒構造をなしており（図７（ｂ）参照）、内筒部１１ｃの内面には、図８（ａ）に示すように、雌ねじ部１１ｄが形成されている。さらに固定筒状体１１の中間部内面には図８（ｂ）及び図１０に示すように横断面鋸刃状をなす多数のカム溝１１ｅが形成されている。
前記固定筒状体１１の後半部は、図８（ｂ）及び図１１に示すように、上下に対向して形成された一対のスリット１１ｆにより弧面形状をなす一対の脚部１１ｇ，１１ｈによって二股状に形成されており、各脚部１１ｇ，１１ｈの後端部外面には外方へと突出する弧状の鍔部１１ｉが形成されると共に、各脚部１１ｇ，１１ｈの内面には円弧状の嵌合突起１１ｇ１，１１ｈ１が突設され、この嵌合突起１１ｇ１，１１ｈ１が前記本体部２の後端面に当接している。また、固定筒状体１１の外周部には、前記各スリット１１ｆの最奥部から前端部にかけて回転係止溝１１ｊが刻設されており、この回転係止溝１１ｊに前記本体部２の突条２ｃが嵌合している。なお、この回転係止溝１１ｊの前方部１１ｊ１は所定の角度をもって前方に拡開している。
このように、この固定筒状体１１は、その急斜面１１ｂ３と本体部２の急斜面２ｂ３との係合によって本体部２に対する後方への移動を阻止され、突条２ｃと回転係止溝１１ｊとの係合により本体部２に対する回転を阻止され、鍔部１１ｊと本体部２の後端との当接により本体部２に対する前方への移動を阻止されるようになっており、これによって本体部２に確固に固定されている。
【００１４】
また、図１２〜図１５は、前記繰出体１２を示す図である。
この繰出体１２は、前記本体部２の内方に挿入される円筒状の突出部１２ａと、前記本体部２内に挿入される円筒状の挿入部１２ｂとを一体に形成したものとなっており、前記突出部１２ａには、環状の鍔部１２ｃが形成され、この鍔部１２ｃの周面には凹弧面１２ｃ１が形成されている。そして、前記挿入部１２ｂの前端面には、円弧部分１２ｈ１と直線部分１２ｈ２とを有する挿通孔１２ｈが形成されると共に、挿入部１２ｂの前方部周面にはコ字状のスリット１２ｄが形成されており、このスリット１２ｄによって囲繞される部分が片持ちばね状の弾性片１２ｅとなっている。
この弾性片１２ｅの先端部には、図１４及び図１５に示すように外方へと突出する鋭角に屈曲した断面形状をなすカム部１２ｆが形成されており、このカム部１２ｆは前記カム溝１１ｅに係合している。また、前記挿入部１２ｂの後方部には、環状の嵌合凹部１２ｉが形成されており、この嵌合凹部１２ｉは前記固定筒状体１１の脚部１１ｇ，１１ｈに突設した嵌合突起１１ｇ１，１１ｇ２に嵌合している。このため、繰出体１２は固定筒状体１１に対して前後方向への移動を阻止され、回動は可能となっている。
【００１５】
また、前記繰出体１２の突出部１２ａの後端における外周面には、１８０度の間隔をもって断面３角形状の係止突起１２ｊが形成されている。そして、この繰出体１２の外周面には、図１６に示すような円筒状の天冠１６が嵌着されている。この天冠１６はその内面の前端部近傍に環状突起１６ａが形成されており、この環状突起１６ａが前記繰出体１２の鍔部１２ｃの凹弧面１２ｃ１に嵌合し、繰出体１２からの抜脱を防止するようになっている。さらに、天冠１６の内周面には横断面三角形状をなす係止突起１６ｂが所定の間隔を介して多数形成されており、各係止突起１６ｂの間には前記繰出体１２の係止突起１２ｊが挿入され、両係止突起１２ｊと１６ｂとの当接によって天冠１６と繰出体１２とが略一体的に回動するようになっている。また、天冠１６の外周面には、帯状のリング部材４０の装着を確実にすると共に、外れを防止するための溝部１６ｃが形成されている。なお、この実施の形態においては、天冠１６と繰出体１２の突出部１２ａとによって回転操作部が構成されている。
【００１６】
そして、前記繰出体１２の前面部に形成された異形の挿通孔１２ｈには、これと略同形の異形断面を有するねじ棒１３が挿入されている。このねじ棒１３は、円弧状の面に形成された雄ねじ部１３ａと、両雄ねじ部１３ａの間に形成された平面部１３ｂとを有し、前記挿通孔１２ｈに、長手方向への移動が可能であり、かつ回動が不能となるよう挿入されている。また、このねじ棒１３の先端部には、ピストン１４が嵌着されている。このピストン１４は、前記本体部２の内面に液密状態を維持しつつ摺動可能に設けられている。
【００１７】
上記構成を有する吐出容器体１を組み立てる場合には、まず、本体部２の外方において内容液吐出機構４の組み立てを次のようにして行う。
すなわち、固定筒状体１１の雌ねじ部１１ｄにねじ棒１３を所定の位置まで螺合させ、雌ねじ部１１ｄより前方に突出させた先端部にピストン１４を圧入固定する。次いで、固定筒状体１１より後方に突出するねじ棒１３を挿通孔１２ｈに挿通させながら繰出体１２を固定筒状体１１の内方に圧入して行き、最終的に固定筒状体１１の各脚部１１ｇ，１１ｈに突設されている嵌合突起１１ｇ１，１１ｈ１に嵌合溝を嵌合させる。この後、天冠１６を繰出体１２の突出部１２ａの外周を覆うよう嵌合させ、天冠１６の環状突起１６ｂを繰出体１２の鍔部１２ｃの凹弧面１２ｃ１に嵌合させて天冠１６を繰出体１２に固定する。これにより、吐出機構４の組み立てが完了する。
【００１８】
この後、本体部２の後端部に形成される開口部から前記ユニット化した吐出機構４を、その前端部に設けられているピストン１４から順次挿入させて行き、固定筒状体１１の回転係止溝１１ｊに本体部２の突条２ｃを嵌合させると共に、固定筒状体１１の凸部１１ｂを本体部２の内面の凸部２ｂに係合させ、固定筒状体１１が本体部２内に完全に挿入された時点で、天冠１６の前方の開口部端縁が本体部２の後方の開口部端縁に当接し、これにより、本体部２への塗布液押圧機構４の挿入作業は完了する。
【００１９】
なお、この形態における回転係止溝１１ｊの前端部はある程度の幅をもって拡開しており、その幅内に突条２ｃが挿入されるよう両者の位置を設定すれば、固定筒状体１１を挿入することで、突条２ｃが係止溝１１ｊの前方部に案内されて係止溝１１ｊ内に確実に挿入される。また、固定筒状体１１にはスリット１１ｆが形成されており、これによって周壁部分に可撓性をもたせるようになっているため、軸本体部２への圧入を容易に行うことができる。
また、この吐出容器体１においては、回転操作部となる天冠１６、本体部２の各々の外径が同一寸法に形成されているため、先端から後端にかけて連続した比較的小径の円筒面を有するスマートな外観を呈するものとなっている。また、この吐出容器１の形態においては、吐出機構４をなす全ての構成部材を軸本体部２の後方開口部から挿入することで容易に本体部２に組み込むことができるため、作業が容易になり、しかも吐出機構４は、予め本体部２外で組み立ててユニット化することができる。
【００２０】
図１７及び図１８は、上述の構成の吐出容器体１，１の軸本体２，２を収納して連結固定すると共に、先端に有する内容液吐出用のノズルを備えたカバー体２０を説明する各図面である。
カバー体２０は、図１、図１７（ａ）及び（ｂ）に示すように、ラインＸを境目にして上カバー半体２０ａと下カバー半体２０ｂとで取付・分割自在とすることも可能である。そして、このカバー体２０内に吐出容器体１，１の軸本体２，２及びスペーサー部材３０が収納される構造となっている。
このカバー体２０の前端部には、図１７及び図１８に示すように、内容液吐出用のノズル２１，２１が形成され、後方部は、開口部２２となっている。また、カバー体２０の前方内部には、吐出容器体１，１の軸本体２の前方部の小径部２ａ及びスペーサー部材３０を収納する収納室２３となっている。この収納室２３には、軸本体２の小径部２ａの周面に形成された凸型の取り付け部２ａ２沿う凹型の取り付け部２４が形成されて、軸本体２をカバー体２０内に収納する際に定位置に収納させる構造となっている。
また、このカバー体２０の前方部のいずれか一方の隅部には、二本の軸本体２の一方の軸本体２を視認するための切り欠きからなる窓部２５が形成されている。
【００２１】
図１９（ａ）〜（ｆ）は、カバー体２０の収納室２３に収納させるスペーサー部材３０を示す各図面である。
このスペーサー部材３０は、図１９（ａ）〜（ｆ）に示すように、各吐出容器体１の各軸本体２の先端開口部２ａ１から吐出される内溶液を導く液導入孔３１と該液導入孔３１に連通する液吐出孔３２を有する栓状部材３３が連結した形状となっている。また、各栓状部材３３の外側周面部３３ａは、軸本体２の前方部の小径部２ａを取り付ける取付部３４となっている。
【００２２】
図２０（ａ）及び（ｂ）は、帯状のリング部材の側面図と正面図である。
この帯状のリング部材４０は、図１に示されるように、２本の軸本体２，２の回転操作部の回転が完全に同期するように、リング部材の材質を回転操作部に対して滑りがなく、かつ、適当な締め付け力のある材質からなるものであり、例えば、ＮＢＲ、ＥＰＭ、ＥＰＤＭ、シリコンゴム、フッ素ゴム、塩ビゴム、ポリスチレン系エラストマー、ポリオレフィン系エラストマーなどの弾性及び耐久性のあるゴム材料、本実施形態では、ＮＢＲから構成されている。
【００２３】
図２１及び図２２はカバー体２０の前端部を覆うキャップ５０を説明する各図面である。キャップ５０には、内部中央に隔壁部５１を有すると共に、前端内面部にカバー体２０に装着した場合に、カバー体２０の先端ノズル２１，２１をシールするノズル栓体５２を有する筒状のシール部５３，５３が形成されている。また、キャップ５０の長手方向下方部の何れか一方には、カバー体２０に装着した場合に、カバー体２０の窓部２５を覆う覆い体５４が連設されている。
【００２４】
このように構成される上述の吐出容器体１，１、カバー体２０、スペーサー部材３０、帯状のリング部材４０、キャップ５０を用いて本実施形態の二液吐出容器の組み立てを以下に説明する。
まず、吐出容器体１，１の軸本体２，２の先端となる小径部２ａに、スペーサー部材３０を取り付けて固定する。スペーサー部材３０の各栓状部材３３の外側周面部は、小径部２ａの嵌合用の取付部３４となっているので簡単に固定できる。なお、このユニットをカートリッジとして使用することもできる。
このスペーサー部材３０を固定した吐出容器体１，１の軸本体２，２を、図１に示すようにカバー体２０に収納する。この際に、カバー体２０の収納室２３には、軸本体２の小径部２ａの周面に形成された凸型の取り付け部２ａ２沿う凹型の取り付け部２４が形成されているので、容易に、スペーサー部材３０を固定した軸本体２，２をカバー体２０内の定位置に密着して収納することができる。これにより、吐出容器体１，１の軸本体２，２から吐出される内容液は、スペーサー部材３０の液導入孔３１、及びこれに連通する液吐出孔３２、液吐出孔３２に嵌合するカバー体２０のノズル２１，２１へと導入されて吐出されるものとなる。
また、上記収納後、カバー体２０の外部となる後方側に配置される上記吐出容器体１，１の回転操作部となる天冠１６，１６には、該天冠１６，１６を同期させる帯状のリング部材４０を取り付ける。
【００２５】
更に、上記収納、取り付け状態でとなるカバー体２０の前端部に上記構成のキャップ５０を装着することにより、図２３（ａ）及び（ｂ）に示される構成の二液吐出容器Ａが組み立てられることとなる。
本実施形態では、カバー体２０に収納された二本の軸本体２，２の一方の軸本体２がキャップ５０を外した際に、図２３（ａ）に示されるように、カバー体２０の窓部２５が外から視認できる（見える）状態であるので、軸本体２を視認性のある材質で構成されたものであれば、内容液の量、ピストンの位置を容易に確認することができる。
特に、二液吐出容器に用いる内容液（二液）は、混合した場合に反応硬化するような内容液は光に対しても反応し、徐々に硬化するタイプのものが多く、また、二液のうち一方は光に対して敏感であり、もう一方は敏感でない場合が多いものである。この場合、ピストン位置を目視でき、かつ、内容液を保護するために、光に敏感な内容液を充填した軸本体の成形色は黒等の隠蔽力の強いものとし、かつ、カバー体２０の窓部を形成していない方に収納する。もう一方の内容液の軸本体２の成形色はピストンが目視（視認）できる程度の濃さの成形色に着色し、カバー体２０の窓部２５を形成した側に収納することが好ましい。また、ピストンにも濃い色相の色を着色することにより、よりピストン位置が目視で確認し易くなる。
【００２６】
また、本実施形態では、キャップ５０の長手方向には、覆い体５４が形成されているので、キャップ５０をカバー体２０に装着した場合、キャップ５０の覆い体５４がカバー体２０の窓部２５を覆い光を遮るので、キャップを外して使用している場合以外は、完全に遮蔽された状態となっている。
更に、このキャップの内部には、カバー体２０のノズル孔２１の内部、外部に密着し乾燥を防ぐが、キャップ５０のシール体５３の周りには、内容液が付着している。この状態でキャップ５０を反対にしてカバー体２０に取り付けると、カバー体２０のノズル孔２１で二液が混合されて反応し固化するので、キャップは必ずいつも同じ方向で取り付けなければならない。その方向性を決める上でも、キャップ５０の覆い体５４とカバー体２０の窓部２５の装着は有効である。
【００２７】
このように組立、構成される本第１実施形態の吐出容器Ａは、図１等に示すように、キャップ５０を取り外して、同期機構部となる帯状のリング部材４０を回転させると、該吐出容器体１，１の各回転操作部（天冠）１６、１６が同期して回転することにより、吐出容器体１，１の軸本体２，２の先端部となる開口部２ａ１，２ａ１から吐出される内容液は、スペーサー部材３０の液導入孔３１、及びこれに連通する液吐出孔３２、液吐出孔３２に嵌合するカバー体２０の吐出口となるノズル２１，２１へ各同量または同一比率で吐出させる形態となるものである。
すなわち、各該吐出容器体１の各軸本体部２より後方に位置する各回転操作部となる天冠１６は各回転操作部１６を同期させて回転させる同期機構部となるリング部材４０を一定方向へと回転させることにより各本体部２内の内容液を開口部２ａ１に供給することができる。以下、一つの吐出容器体１の説明で吐出容器体（２つの）内容液の吐出等を説明する。
図１等に示すように、本体部２に対して同期機構部となるリング部材４０を回転させると、連動する天冠１６の回転に伴って繰出体１２が同方向へと回転し、さらにこの繰出体１２の異形の挿通孔１２ｈに挿入されているねじ棒１３も共に回転する。このねじ棒１３の雄ねじ部１３ａは前記固定筒状体１１の雌ねじ部１１ｄに螺合しているため、この螺合によってねじ棒１３は時計方向へと回転しつつ前方へと移動する。その結果、ねじ棒１３の前端部に連結されているピストン１４は前方へと移動し、これにより、開口部２ａ１より内溶液が吐出されて、液導入孔３１、液吐出孔３２、ノズル２１へと導入されて吐出されるものとなる。
【００２８】
また、上記繰出体１２は、同期機構部となるリング部材４０の回転により、これと連動する天冠１６による回転操作において、弾性片１２ｅの先端部に形成されたカム部１２ｆが本体部２に形成されている鋸刃状のカム溝１１ｅに常時圧接するようになっており、天冠１６による回転操作時には、カム部１２ｆがカム溝１１ｅの傾斜面の後端部に乗り上げた後、次の傾斜面の前端部に落下して当接するという動作を所定の回転ピッチ毎に繰り返す。この際、弾性片の弾性力は増大、解放を繰り返すため、これが操作者にはクリック感として伝わると共に、解放時にカム部１２ｆと傾斜面１１ｅ１の前端部との当接によってクリック音が発生する。
このため、このクリック感またはクリック音の数によって操作者は、天冠の回転角度、つまり内容液Ｌの供給量を認識することができ、供給量の調整を容易に行い得るようになっている。また、この同期機構部となるリング部材４０及びこれと連動する天冠の回転が途中であっても吐出容器の外観は変わらないものとなっている。
更に、前記傾斜面１１ｅ１の前端部は曲面（Ｒを付けている）に形成しているので、天冠１６の回転操作において、カム部１２ｆが傾斜面１１ｅ１の前端部から中央部に乗り上げるときにスムースな乗り上げ感が得られる。
【００２９】
更にまた、前記弾性片１２ｅのカム部１２ｆは、常に前記カム溝１１ｅの固定筒状体１１の係止面１１ｅ２に当接しているため、回転操作において、天冠１６を反対方向へと回転させたようとしても、カム部１２ｆと係止面１１ｅ２との当接によって反対方向への回転は阻止される。このため、ねじ棒１３が反対方向へと回転することもなくなり、ねじ棒１３及びピストン１４が後方へと移動することもない。
従って、一旦外部空間へと吐出された内容液Ｌが再びノズル２１内へと逆流することはなく、本体２内への雑菌などの混入を防止することができる。なお、係止面１１ｅ２には、ほぼ直線的に立ち上がっているため、反対方向への回転させようとしたときには、カム部１２ｆは係止面１１ｅ２に確実に引っ掛かり、しっかりした回転阻止感が得られる。
【００３０】
また、前記繰出体１２は本体部２とは直接的に嵌合せず、本体部２内に固定される固定筒状体１１の環状の嵌合突起１１ｇ１，１１ｇ２と嵌合するものとなっている。このため、固定筒状体１１と繰出体１２との嵌合構造を必要とする強度に応じて自在に設定することができ、しかも本体部２の形状、構造にはなんら影響を与えることがない。従って、本体部２は軽量化を図る上で薄肉構造をなすものを用いることができ、素材としてもポリプロピレンなどの安価で視認性（透明又は半透明）、柔軟性を有するものを使用することができる。また、固定筒状体１１においては、ＡＢＳ（アクリロニトリル・ブタジエン・スチレン）、ポリカーボネート、ポリアセタール、ＰＢＴ（ポリブチレン・テレフタレート）などの硬度が高い物質を使用して比較的大きな突出量の嵌合凸部１１ｇ１，１１ｈ１を形成し、繰出体１２としても前記嵌合凸部１１ｇ１，１１ｈ１に嵌合する比較的深い嵌合凹部１２ｉを形成することで、固定筒状体１１と繰出体１２とを確固に嵌合させることができ、液体塗布具１の強度を十分に得ることができる。この場合、固定筒状体１１には嵌合凸部１１ｇ１，１１ｈ１の形成位置においてヒケが発生する可能性もがあるが、固定筒状体１１は外部に表出するものではないため、ここに生じるヒケが外観的に問題になることはない。なお、繰り出し体１２の材質としては、バネ弾性、耐クリープ性、耐疲労特性の面から、ポリアセタールが最も望ましい。
【００３１】
なお、本実施形態で用いる吐出容器体１は、本体部内に貯留された内容液を先へと押圧する吐出機構における回転操作部を本体部とは直接的に嵌合させず、本体部内に挿入される固定筒状体の環状の嵌合部分と嵌合させるようにしたため、本体部の形状、構造に拘わりなく固定筒状体と回転操作部との嵌合構造を必要とする強度に応じて自在に設定することができる。
さらに、吐出機構は、固定筒状体、繰出体、ねじ棒及びピストンなどの各構成部材を、全て軸体後方から挿入することが可能であるため、極めて容易に組み立てを行うことができる。従って、例えば、各構成部材を軸体の外部で予め組み立てておき、そのユニット化した液体押圧機構を軸体の後部から同時に挿入するようにすることも可能であり、組立工程の効率化を図ることができると共に、本体部の先端形状をピストンなどに拘わりなく設定することができ、設計の自由度も大幅に向上することとなる。
【００３２】
このように構成される本第１実施形態の吐出容器は、図１等に示すように、同期機構部となる帯状のリング部材４０を回転させることで、これと連動する吐出容器体１，１の各回転操作部（天冠１６，１６）を回転させることにより、各吐出容器体１，１から内容液をノズル２１から各少量、一定量または同一比率で吐出させることができものとなる。
また、スペーサー部材３０を固定した吐出容器体１，１は、カートリッジ型であるので、使用後、交換する場合は、帯状のリング部材４０を外して、新しいスペーサー部材３０を固定した吐出容器体１，１に代えて帯状のリング部材４０を取り付けることにより、容易に交換することができる。
【００３３】
図２４〜図２６は、本発明に係る二液吐出容器の実施形態の他例を示す各図面であり、
図２４は全体構造を示す部分断面図、図２５は、この実施形態に用いたスペーサー部材の斜視図、図２６（ａ）及び（ｂ）は、この実施形態に用いた帯状のリング部材の側面図とその正面図である。なお、上記第１実施形態の二液吐出容器Ａと同様の構成は同一符号を付けてその説明を省略する。
この実施形態の二液吐出容器Ｂは、カバー体２０の収納室２３に収納させるスペーサー部材３０の流入口となる液導入孔３１の壁面にテーパーを設けてロート状３１ａとした点、及び／又は帯状のリング部材４０の長手方向に突状部４１，４１…を設けた点でのみ、上記第１実施形態の二液吐出容器Ａと相違するものである。
この実施形態の二液吐出容器Ｂでは、記液導入孔３１の壁面にテーパーを設けてロート状３１ａとすることにより、内溶液中の気泡が充填時や液の吐出時に更に容易に排出可能とするものであり、また、帯状のリング部材４０の長手方向に突状部４１，４１…を設けることにより、回転時のまわり止めとなり使用性を更に向上させるものであり、その他は上記第１実施形態の二液吐出容器Ａと同様に使用等に供されるものである。
【００３４】
図２７は、本発明に係る二液吐出容器の実施形態の他例を示す部分断面図である。
この実施形態の二液吐出容器Ｃは、帯状のリング部材４０の長手方向に突状部４１，４１…及び／又は突状部４１，４１の中央部（真ん中）に目盛り用基準線４２，４２…を設けると共に、カバー体２０の後側の表面部にマーク部２５を設けた点でのみ、上記第１実施形態の二液吐出容器Ａと相違し、同様に使用等に供されるものである。
この実施形態の二液吐出容器Ｃにおいて、帯状のリング部材４０が１回転（３６０度）することにより、内溶液が先端ノズル２１，２１から各８０ｍｌ吐出するものであれば、例えば、マーク部２５を基準（液吐出なし、吐出量０ｍｌ）にし対向する突状部４１もマーク部２５に合わせ、リング部材４０を回転させて次の突状部４１に合わせると１０ｍｌの内容液が吐出するものであり、マーク部２５を基準にして突状部４１を８回合わせることにより１回転（３６０度）する。なお、この実施形態では、最初の基準線４２に合わせると５ｍｌの吐出量となる。
この実施形態の二液吐出容器Ｃでは、上記目盛り用の突状部４１及び／又は基準腺４２、マーク部２５を印刷等により表示することにより、クリック感による吐出液量の確認にのみでなく、吐出液量も容易に確認することができるものとなる。
【００３５】
本発明では、上記各実施形態において、内溶液Ｌとして歯科用の粘性材料（２液反応型の内容液）を用いたが、毛染剤、接着剤、シーリング剤等に用いられる２液型（３液型）の液状、粘性材料等であってもよいものである。
また、上記各実施形態において、キャップ５０の覆い体５４、カバー体２０の窓部２５を形成したものを好ましい態様で用いたが、覆い体５４、カバー体２０の窓部２５を形成しないカバー体２０、キャップ５０であってもよく、この場合の装着の場合は、常に同一方向となる装着として反対方向の装着を防止するために、覆い体５４、カバー体２０の装着部分の色分け（着色）を同色とする、または、指示表示部を適宜形成しても良いものである。
【図面の簡単な説明】
【００３６】
【図１】本発明に係る二液吐出容器の実施形態の一例（全体構造）を示す部分断面図である。
【図２】（ａ）は図１の実施形態の二液吐出容器に用いる吐出容器体の全体構造を示す斜視図、（ｂ）は（ａ）に示した吐出容器体の前半部を示す縦断側面図である。
【図３】図１（ｂ）に示した吐出容器体の後半部を示す縦断側面図である。
【図４】図２に示した吐出容器体本体部の縦断側面図である。
【図５】図４に示したもののＢ部拡大図である。
【図６】図４に示したもののＡ−Ａ線縦断図である。
【図７】図３における固定筒状体を示す図であり、（ａ）は平面図、（ｂ）は同図（ａ）の正面図である。
【図８】（ａ）は図７に示したものの縦断側面図、（ｂ）は図７に示したものの背面図である。
【図９】図８のＣ部拡大図である。
【図１０】図８（ａ）のＡ−Ａ線断面図である。
【図１１】図８（ａ）のＢ−Ｂ線断面図である。
【図１２】図３に示した繰出体の形状を示す図で、（ａ）は側面図、（ｂ）はの正面図、（ｃ）は背面図、（ｄ）は底面図である。
【図１３】図１２（ａ）に示したものの縦断側面図である。
【図１４】図１２（ａ）におけるＡ−Ａ線断面図である。
【図１５】図１２（ａ）に示したもののＢ−Ｂ線断面図である。
【図１６】（ａ）は図３に示す天冠（回転操作部）の拡大縦断側面図、（ｂ）は（ａ）の正面図である。
【図１７】（ａ）はカバー体を平面態様で示す部分縦断面図、（ｂ）はカバー体を側面態様で示す部分縦断面図である。
【図１８】（ａ）はカバー体を左側面図、（ｂ）はカバー体の右側面図である。
【図１９】（ａ）〜（ｆ）は、スペーサー部材を説明する図面であり、順次、左側面図、部分縦断面図、右側面図、正面斜視図、部分側面図、背面斜視図である。
【図２０】（ａ）は帯状のリング部材の側面図、（ｂ）はその正面図である。
【図２１】（ａ）はキャップの平面態様で示す部分縦断面図、（ｂ）はキャップを側面態様で示す部分縦断面図である。
【図２２】（ａ）はキャップの背面斜視図、（ｂ）は左側面図、（ｃ）は右側面図である。
【図２３】（ａ）は二液吐出容器からキャップを取り外した状態を示す斜視図、（ｂ）はキャップを装着した状態を示す斜視図である。
【図２４】本発明に係る二液吐出容器の実施形態の他例（全体構造）を示す部分断面図である。
【図２５】図２４に用いたスペーサー部材の斜視図である。
【図２６】図２４に用いた帯状のリング部材であり、（ａ）はその側面図、（ｂ）はその正面図である。
【図２７】本発明に係る二液吐出容器の実施形態の他例（部分構造）を示す部分平面図である。
【符号の説明】
【００３７】
Ｌ    内溶液
Ａ    二液吐出容器
１    吐出容器体
２    軸本体
１６  天冠（回転操作部）
２０  カバー体
２１  吐出ノズル
３０  スペーサー部材
４０  帯状のリング部材
５０  キャップ
【図１】
2005212843.tif 000003
【図２】
2005212843.tif 000004
【図３】
2005212843.tif 000005
【図４】
2005212843.tif 000006
【図５】
2005212843.tif 000007
【図６】
2005212843.tif 000008
【図７】
2005212843.tif 000009
【図８】
2005212843.tif 000010
【図９】
2005212843.tif 000011
【図１０】
2005212843.tif 000012
【図１１】
2005212843.tif 000013
【図１２】
2005212843.tif 000014
【図１３】
2005212843.tif 000015
【図１４】
2005212843.tif 000016
【図１５】
2005212843.tif 000017
【図１６】
2005212843.tif 000018
【図１７】
2005212843.tif 000019
【図１８】
2005212843.tif 000020
【図１９】
2005212843.tif 000021
【図２０】
2005212843.tif 000022
【図２１】
2005212843.tif 000023
【図２２】
2005212843.tif 000024
【図２３】
2005212843.tif 000025
【図２４】
2005212843.tif 000026
【図２５】
2005212843.tif 000027
【図２６】
2005212843.tif 000028
【図２７】
2005212843.tif 000029